(57)【要約】【課題】任意の場所に置くだけで履物の脱ぎ履き動作が安定した状態で行うことができ、かつ脱いだ履物を効率よく収納できる椅子を提供する。【解決手段】利用者が足を置く椅子１の手前側空間部から利用者が座る座板下部の奥側空間部にわたって設けられる基台５に沿ってスイッチ操作でスライド板６をスライドさせるスライド機構７を備えた。【選択図】図２
2006158578.tif 000002
【特許請求の範囲】
【請求項１】
利用者が足を置く椅子の手前側空間部から利用者が座る座板下部の奥側空間部にわたって設けられる基台にスイッチ操作でスライド板をスライドさせるスライド機構を備えたことを特徴とする椅子。
【請求項２】
スライド板は、基台との接触面に設けられた摺動部材を通じて滑動し、乗込み荷重が加わるとスライド板の下面と基台上面とが接触して制動力が作用することを特徴とする請求項１記載の椅子。
【請求項３】
スライド板の裏面にはライニング材が設けられており、該スライド板はライニング材が天板と離間してスライドし、ライニング材と天板が密着して生じる摩擦力により制動力が作用することを特徴とする請求項１記載の椅子。
【請求項４】
椅子の脚部と基台とは分離可能に設けられ、基台は単数設けられるか又は複数台並設されることを特徴とする請求項１記載の椅子。
【請求項５】
スライド機構は、
スイッチ操作により正逆回転駆動可能な駆動源と、
駆動源の正逆回転に連繋して伸縮可能なリンク機構と、
リンク機構の先端に連繋して基台の一端側と他端側との間をスライドするスライド板と、
一端側がスライド板に固定され他端側が巻取りロールに巻き取り可能に巻付けられるカバーを備え、
カバーは常時巻取りロール側に巻き込まれるように付勢されており、駆動源を起動してスライド板の一端側への引き出しに伴ってリンク機構を覆って繰り出されることを特徴とする請求項１記載の椅子。
【請求項６】
スライド機構は、
スイッチ操作により正逆回転駆動可能な駆動源と、
駆動源により回転駆動され基台の長手方向に設けられる無端状のベルト駆動機構と、
ベルトに連繋して基台の一端側と他端側との間をスライドするスライド板と、
スライド板の移動を検出する位置検出部と、
位置検出部の検出信号に基づいて駆動源の回転駆動を制御する制御部を具備し、
制御部は、位置検出部がスライド板の移動を検出すると、駆動源の回転駆動に制動を加えてスライド板を基台端部で停止させることを特徴とする請求項１記載の椅子。                                                                         
【発明の詳細な説明】
【技術分野】
【０００１】
本発明は、例えば一般住宅、病院、温泉旅館などの玄関、部屋の出入口、廊下などに配置され、着座して履物を脱いだまま座板下部の空間部へ履物を収納することができる椅子に関する。
【背景技術】
【０００２】
近年の一般住宅おいては、西欧化が進み、畳中心の和室が減り、洋間が増えるのにともない玄関もコンパクトに設計されている。また、病院、温泉旅館、老人ホームなどの大型施設においては、バリアフリー化も進んではいるが、院内若しくは館内の清浄化を維持するためには、玄関、部屋の出入口で下履きから上履きに履き替えることが多い。
【０００３】
ところで、急速に高齢化社会に移行しつつある我が国においては、高齢者、足腰が不自由な身障者（以下「高齢者等」という）が全体として増えており、これらの高齢者等が玄関先等で履物を履き替える場合には、立ったまま背を丸めて履物を脱いだり履いたりする動作は足腰に過度の負担がかかり、苦痛を伴う場合が多い。また、脱いだ下履きを上履きに履き替る場合には履物を収納する必要があるため更に負担が大きい。
【０００４】
かかる課題を解決するため、玄関、廊下などに据え付ける折り畳み椅子が提案されている。この椅子は、回動可能な平行リンクの先端に連結されたカバー板材を壁面より手前に引き出して脚部とする際に、リンク間に架設された座板を垂直姿勢から水平姿勢にすることにより椅子として利用できるようにしたものである（特許文献１参照）。或いは、下駄箱の側方に板状に折り畳んだ椅子を設けて、履物を履く際に椅子を組み立てて使用する折り畳み椅子などが提案されている（特許文献２参照）。
【特許文献１】特開２０００−６０６７４号公報
【特許文献２】特開２００３−２１０２８０号公報
【発明の開示】
【発明が解決しようとする課題】
【０００５】
しかしながら、上述した折り畳み椅子は、壁や下駄箱に据え付けタイプであるため、据え付けられる場所が限定される。特に建物に後付けする場合には、大幅な改造が必要になる。また、履物を履きかえるたびに折り畳んだ椅子を組み立てる作業が煩わしく、脱いだ靴を収納する作業負担は解消しない。折り畳み椅子を組み立てたままにすると邪魔になる場所には設置できない。
【０００６】
本発明はこれらの課題を解決すべくなされたものであり、その目的とするところは、任意の場所に置くだけで履物の脱ぎ履き動作が安定した状態で行うことができ、かつ脱いだ履物を効率よく収納できる椅子を提供することにある。
【課題を解決するための手段】
【０００７】
本発明は上記目的を達成するため、次の構成を備える。
利用者が足を置く椅子の手前側空間部から利用者が座る座板下部の奥側空間部にわたって設けられる基台に沿ってスイッチ操作でスライド板をスライドさせるスライド機構を備えたことを特徴とする。
また、スライド板は、基台との接触面に設けられた摺動部材を通じて滑動し、乗込み荷重が加わるとスライド板の下面と基台上面とが接触して制動力が作用することを特徴とする。
また、椅子の脚部と基台とは分離可能に設けられ、基台は単数設けられるか又は複数台並設されることを特徴とする。
また、スライド機構は、スイッチ操作により正逆回転駆動可能な駆動源と、該駆動源の正逆回転に連繋して伸縮可能なリンク機構と、リンク機構の先端に連繋して基台の一端側と他端側との間をスライドするスライド板と、一端側がスライド板に固定され他端側が巻取りロールに巻き取り可能に巻付けられるカバーを備え、カバーは常時巻取りロール側に巻き込まれるように付勢されており、駆動源を起動してスライド板の一端側への引き出しに伴ってリンク機構を覆って繰り出されることを特徴とする。
或いは、スライド機構は、スイッチ操作により正逆回転駆動可能な駆動源と、該駆動源により回転駆動され基台の長手方向に設けられる無端状のベルト駆動機構と、ベルトに連繋して基台の一端側と他端側との間をスライドするスライド板と、スライド板の移動を検出する位置検出部と、位置検出部の検出信号に基づいて駆動源の回転駆動を制御する制御部を具備し、制御部は、位置検出部がスライド板の移動を検出すると、駆動源の回転駆動に制動を加えてスライド板を基台端部で停止させることを特徴とする。
【発明の効果】
【０００８】
上述した椅子を用いれば、スライド機構により椅子の手前側の基台上に引き出されたスライド板に利用者が直接乗り込み、座板に座ったまま靴を脱いで（履いて）スイッチ操作するだけでスライド板を座板下部の奥側空間部へスライドさせて収納することができる。また、椅子は可搬性があるため設置場所に限定されることはなく、設置に際して特別な工事は不要である。基台はスライド板が収納されると通路として利用できるため、椅子を玄関の土間に置いた場合には框との段差を縮小して通路として利用できる。また、椅子の脚部と基台とを分離することで、椅子の形状や材質を設置場所に応じて適宜交換して使用でき、椅子を長椅子形状とし基台を複数台並設することで設備を容易に拡張することができる。
スライド板は、基台との接触面に設けられた摺動部材を通じて滑動し、乗込み荷重が加わるとスライド板の下面と基台上面とが接触して制動力が作用して固定される。よって、利用者はスライド板に乗り込むことでスライド板が安定し、履物の脱ぎ履き動作は椅子に座ったまま楽な姿勢で行うことができる。また、脱いだ履物は利用者が椅子に座ったままスイッチ操作で座板下部の奥側空間部へスライドさせて収納できるので、歩行の妨げになることはない。
また、スライド板の裏面にはライニング材が設けられており、該スライド板はライニング材が天板と離間してスライドし、ライニング材と天板が密着して生じる摩擦力により制動力が作用するので、移動時のスライド板の滑動性と利用者がスライド板に乗り降りする際の制動性の要求を簡易な構成により満たすことができる。
また、スライド板は駆動源により作動するリンク機構若しくはベルト駆動機構に連繋して往復動されるので、履物の収納動作が省力化して迅速に行える。
【発明を実施するための最良の形態】
【０００９】
以下、本発明に係る椅子の最良の実施形態について、添付図面を参照しながら説明する。以下では、玄関の框に連続する土間に椅子を設置する場合を例示して説明するものとする。
【００１０】
先ず、図１及び図２を参照して椅子の概略構成について説明する。
図１（ａ）（ｂ）（ｃ）において、椅子１は利用者が座る座板２と該座板２を支持する脚部３及び手摺り４を備えている。また、利用者が足を置く椅子１の手前側空間部から利用者が座る座板２下部の奥側空間部にわたって基台５が設けられている（図１（ｂ）（ｃ）参照）。この基台５にはスイッチ操作でスライド板６をスライドさせるスライド機構７が設けられている。操作スイッチ８は、ボタンスイッチでもフットスイッチのいずれでも良いが、本実施例では、手動のボタンスイッチが座板２の正面側部に設けられる（図１（ａ）参照）。これは、座板２に座った状態でスイッチ操作を行うことで、履物Ｓを載せたスライド板６を座板下部へ収納するようにするためである。
【００１１】
基台５は、利用者が履物を脱いだまま歩行できるスペースを設けるためスライド板６の両側に張り出して設けられる。履物Ｓを脱いだ後で基台５を歩いても足が汚れることはない。手摺り４は、椅子１に座った状態から立つときに掴まったり、基台５から框９へ移動したりする際に利用する。手摺り４の高さは調整可能になっているのが好ましい。椅子１や手摺り４を壁や床などに着脱可能に構成することも可能である。基台５の裏面側には設置面との位置ずれを防ぐため、ゴムシートなどが貼り合わせてあるのが好ましい。更に、基台５と椅子１とは一体に構成されていても良いし、分離可能に構成されていてもいずれでも良い。基台５と椅子１とが分離できる場合には、設置作業や搬送作業が楽にできるうえに。基台５に対して椅子１はスチール製或いは木製などオプションで組み合わせ使用できるので、設置場所の景観に合わせて利用できる。
【００１２】
図１（ａ）は、椅子１のレイアウト構成例を示す。椅子１は玄関の土間に框９に近接して設けられ、利用者が基台５に待機するスライド板６に乗り込んで椅子１に座って履物を脱いだ後、スイッチ操作によりスライド板６を座板２の下部へ収納して、手摺り４に掴まりながら框９へ上がることができるようになっている。また、履物Ｓを履く場合には、框９から手摺り４に掴まりながら基台５に降りて、椅子１に座ってからスイッチ操作することで履物を載せたスライド板６を足元に移動させて座ったまま履物Ｓを履いて外出することができる。
【００１３】
次に図２を参照して、スライド機構７の一例について説明する。
スライド板６は、基台５と対向する裏面に摺動テープ、摺動レールなどの摺動部材１０及びゴム材などのライニング材（図示せず）が貼着されている。ライニング材は、基台５とは離間した高さで設けられる。スライド板６は摺動部材１０により基台５上を滑動し、乗込み荷重が加わるとライニング材が基台５と接触して制動力（摩擦力）により固定される。乗込み荷重を除去すると基台５との滑動性を保ってスライドする。スライド板６は金属板、樹脂板、木製板など材質のいかんは問わず、プレート面には補強用の凹凸加工が施されていても良い。
【００１４】
駆動源であるブラシレスモータ、リニアモータなどのモータ１１の正逆回転に連繋して伸縮可能なリンク機構１２が設けられている。リンク機構１２は、互いに回動自在に交差する可動リンク１３ａと固定リンク１３ｂが複数連続して構成される。モータ１１のモータ軸１１ａにねじ嵌合して移動する移動体１４に可動リンク１３ａが連結され、固定リンク１３ｂは基台５に固定されている。可動リンク１３ａと固定リンク１３ｂの先端はスライド板６に連繋している。上記リンク機構１２を用いることで、基台１の内部に駆動機構を設ける必要がないので基台５の厚さを薄くすることができる。
【００１５】
また、基台５の奥側端部（座板２の下部）には巻取りロール１５が設けられており長尺状のカバー１６が巻き取られている。カバー１６の一端はスライド板６に連結されており、他端側が巻取りロール１５に巻き取られる。カバー１６は常時巻取りロール１５側に巻き取られるように付勢されている。モータ１１を起動してスライド板６の椅子手前側への引き出しに伴ってカバー１６はガイドローラ１７に案内されてリンク機構１２を覆って基台５と平行に繰り出される。スライド板６の引き出しと共にカバー１６を繰り出すことで、リンク機構１２への履物の挟み込みを防ぎ塵埃や異物の侵入による誤動作を防ぐことができる。
【００１６】
基台５には、スライド板６の移動を検出するリミットスイッチ（位置検出部）が設けられている。制御部はリミットスイッチの検出信号に基づいてモータの駆動制御を行う。具体的には、制御部は、リミットスイッチがスライド板６を検出すると、モータ１１の回転駆動に制動（ショートブレーキ）を加えてスライド板６を所定位置で停止させるようになっている。これにより、基台５上でスライド板６が停止する際の慣性力によるショックを和らげることができる。
【００１７】
図３（ａ）（ｂ）は椅子１を長椅子とし、二人掛け用、三人掛け用の椅子を示す。座板２に座れる人数に対応して、スライド機構７や操作スイッチ８も２箇所、３箇所に並設される。この場合、基台５と長椅子１とが分離可能に設けられていると、基台５の数に合わせて長椅子１のサイズを選んで設置することができ、設備を容易に拡張することができる。
【００１８】
次に、スライド機構７の他例について図４を参照して説明する。上記スライド機構と同一部材には同一番号を付して説明を援用するものとする。
基台５の奥側端部（座板下部）側には、操作スイッチにより正逆回転駆動可能なモータ１１や制御部１８が設けられている。モータ１１や制御部１８を基台５の端部近傍に設けることで基台５の厚さを薄くできる。基台５の一端側と他端側との間にはモータ１１によって回転駆動されるベルト駆動機構１９が設けられている。ベルト駆動機構１９は、駆動プーリ２０ａ、従動プーリ２０ｂ間に無端状のタイミングベルト２１が架設されている。このベルト２１にスライド板６の一部が連繋して基台５の一端側と他端側との間をスライドするようになっている。基台５にはスライド板６の連繋部６ａがスライドするスリット状のガイド溝５ａが形成されている。スライド板６と基台５との接触面には摺動部材１０が貼り付けられており、滑動性を維持するようになっている。
【００１９】
基台５には、スライド板６の移動を検出するリミットスイッチ（位置検出部）２２、２３が設けられている。制御部１８はリミットスイッチ２２、２３の検出信号に基づいてモータ１１の駆動制御を行う。具体的には、制御部１８は、リミットスイッチ２２、２３がスライド板６を検出すると、モータ１１の回転駆動に制動（ショートブレーキ）を加えてスライド板６を所定位置で停止させるようになっているのは同様である。
【００２０】
上述した実施例では、履物をスライド板６で脱ぐ（履く）場合について説明したが、予めスライド板６に上履き（スリッパ、サンダルなど）を載せておくことで、スライド板６に乗り込んだ状態で履き替えをするようにしても良い。
【図面の簡単な説明】
【００２１】
【図１】椅子の正面図、右側面図及び上視図である。
【図２】椅子の斜視説明図である。
【図３】長椅子にした場合の説明図である。
【図４】スライド機構の他例を示す斜視説明図である。
【符号の説明】
【００２２】
Ｓ  履物
１  椅子
２  座板
３  脚部
４  手摺り
５  基台
６  スライド板
７  スライド機構
８  操作スイッチ
９  框
１０  摺動部材
１１  モータ
１１ａ  モータ軸
１２  リンク機構
１３ａ  可動リンク
１３ｂ  固定リンク
１４  移動体
１５  巻取りロール
１６  カバー
１７  ガイドローラ
１８  制御部
１９  ベルト駆動機構
２０ａ  駆動プーリ
２０ｂ  従動プーリ
２１  タイミングベルト
２２、２３  リミットスイッチ                                                                      
【図１】
2006158578.tif 000003
【図２】
2006158578.tif 000004
【図３】
2006158578.tif 000005
【図４】
2006158578.tif 000006